【手続補正書】
【提出日】平成19年3月16日(2007.3.16)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  複数の画像担持体上にそれぞれ形成される可視画像を一時的に移動体上に重ねて転写した後に記録媒体に再転写して記録媒体上に多重画像を形成可能な画像形成装置において、
前記複数の画像担持体上にそれぞれ所定のパターンを形成し該形成された複数のパターンをそれぞれ前記移動体上に転写し該移動体上に転写された複数のパターンを検出し該検出結果に基づいて前記各画像担持体上の画像を合せる画像合せ処理を行う画像合せ手段と、
前記記録媒体への画像の再転写時と前記画像合せ手段による画像合せ処理実行時とで、前記移動体の移動速度を変更制御する制御手段と、
を有することを特徴とする画像形成装置。
【請求項２】  複数の画像担持体上にそれぞれ形成される可視画像を移動体により搬送される記録媒体に重ねて転写して記録媒体上に多重画像を形成可能な画像形成装置において、
前記複数の画像担持体上にそれぞれ所定のパターンを形成し該形成された複数のパターンをそれぞれ前記移動体上に転写し該移動体上に転写された複数のパターンを検出し該検出結果に基づいて前記各画像担持体上の画像を合せる画像合せ処理を行う画像合せ手段と、
前記記録媒体への画像転写時と前記画像合せ手段による画像合せ処理実行時とで、前記移動体の移動速度を変更制御する制御手段と、
を有することを特徴とする画像形成装置。
【請求項３】  前記制御手段は、前記画像合せ手段による画像合せ処理実行時の移動体の移動速度を、前記記録媒体への画像転写時の移動体の移動速度より速い速度とすることを特徴とする請求項１又は２記載の画像形成装置。
【請求項４】  複数の画像担持体上にそれぞれ形成される可視画像を移動体上に重ねて転写し前記移動体により搬送する一連の画像形成プロセスを複数のプロセススピードで実行可能な画像形成装置において、
前記複数の画像担持体上にそれぞれ形成される可視画像を一時的に移動体上に重ねて転写した後に記録媒体に再転写して記録媒体上に多重画像を形成する画像形成モードと、
前記複数の画像担持体上にそれぞれ所定のパターンを形成し該形成された複数のパターンをそれぞれ前記移動体上に転写し該移動体上に転写された複数のパターンを検出し該検出結果に基づいて前記各画像担持体上の画像を合せる画像合せ処理を行う画像合せモードと、
前記画像形成モード実行時と前記画像合せモード実行時とで、前記プロセススピードを変更制御する制御手段と、
を有することを特徴とする画像形成装置。
【請求項５】  複数の画像担持体上にそれぞれ形成される可視画像を移動体により搬送される記録媒体または移動体上に重ねて転写して前記移動体により搬送する一連の画像形成プロセスを複数のプロセススピードで実行可能な画像形成装置において、
前記複数の画像担持体上にそれぞれ形成される可視画像を移動体により搬送される記録媒体に重ねて転写して記録媒体上に多重画像を形成する画像形成モードと、
前記複数の画像担持体上にそれぞれ所定のパターンを形成し該形成された複数のパターンをそれぞれ前記移動体上に転写し該移動体上に転写された複数のパターンを検出し該検出結果に基づいて前記各画像担持体上の画像を合せる画像合せ処理を行う画像合せモードと、
前記画像形成モード実行時と前記画像合せモード実行時とで、前記プロセススピードを変更制御する制御手段と、
を有することを特徴とする画像形成装置。
【請求項６】  前記制御手段は、前記画像合せモード実行時のプロセススピードを前記複数のプロセススピードのなかで最も高速のプロセススピードとすることを特徴とする請求項４又は５記載の画像形成装置。
【請求項７】  複数の画像担持体上にそれぞれ形成される可視画像を移動体上に重ねて転写し前記移動体により搬送する一連の画像形成プロセスを複数のプロセススピードで実行可能な画像形成装置において、
前記複数の画像担持体上にそれぞれ形成される可視画像を一時的に移動体上に重ねて転写した後に記録媒体に再転写して記録媒体上に多重画像を形成する画像形成モードと、
前記複数の画像担持体上にそれぞれ所定のパターンを形成し該形成された複数のパターンをそれぞれ前記移動体上に転写し該移動体上に転写された複数のパターンを検出し該検出結果に基づいて前記各画像担持体上の画像を合せる画像合せ処理を行う画像合せモードと、
前記画像合せモード実行時に、前記いずれかのプロセススピードを選択的に切り換え設定する切り換え手段と、
を有することを特徴とする画像形成装置。
【請求項８】  複数の画像担持体上にそれぞれ形成される可視画像を移動体により搬送される記録媒体または移動体上に重ねて転写して前記移動体により搬送する一連の画像形成プロセスを複数のプロセススピードで実行可能な画像形成装置において、
前記複数の画像担持体上にそれぞれ形成される可視画像を移動体により搬送される記録媒体に重ねて転写して記録媒体上に多重画像を形成する画像形成モードと、
前記複数の画像担持体上にそれぞれ所定のパターンを形成し該形成された複数のパターンをそれぞれ前記移動体上に転写し該移動体上に転写された複数のパターンを検出し該検出結果に基づいて前記各画像担持体上の画像を合せる画像合せ処理を行う画像合せモードと、
前記画像合せモード実行時に、前記いずれかのプロセススピードを選択的に切り換え設定する切り換え手段と、
を有することを特徴とする画像形成装置。
【請求項９】  前記切り換え手段は、前記画像合せモード実行時に切り換え設定するプロセススピードを前記移動体上に転写された複数のパターンを検出可能な最大速度とすることを特徴とする請求項７又は８記載の画像形成装置。
【手続補正３】
【補正対象書類名】明細書
【補正対象項目名】０００１
【補正方法】変更
【補正の内容】
【０００１】
【発明の属する技術分野】
本発明は静電記録方式や電子写真記録方式などを採用した画像形成装置に関し、特に複数の画像担持体上に複数の画像形成部がそれぞれ形成する可視画像を移動体上に重ねて転写して多重画像を形成可能な画像形成装置に関するものである。
【手続補正４】
【補正対象書類名】明細書
【補正対象項目名】０００８
【補正方法】変更
【補正の内容】
【０００８】
本発明は、上記の問題点を解決するためになされたもので、本発明の目的は、記録媒体への画像の再転写時と画像合せ手段による画像合せ処理実行時とで、前記移動体の移動速度を変更することにより、画像合せ処理時間を短くして、結果として電源立ち上げ後のウェイトタイムや所定時間経過時などのオートレジモード、ジャム後のリスタートの時間、サービスモードなどによる画像チェック時間を短縮したサービス性の優れた画像形成装置を提供することである。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】０１２２
【補正方法】削除
【補正の内容】
【手続補正１８】
【補正対象書類名】明細書
【補正対象項目名】０１２３
【補正方法】削除
【補正の内容】
【手続補正１９】
【補正対象書類名】明細書
【補正対象項目名】０１２４
【補正方法】削除
【補正の内容】